(57)【特許請求の範囲】
【請求項１】
種類の異なる流体を供給する複数の流体供給機構を備えるとともに、各流体供給機構の吐出口部が共通のユニット体の所定部位に設けられ、該ユニット体がシンクの上部に配設されてなる流体供給装置であって、
上記ユニット体は、上記シンクの凹部周縁形状の少なくとも一部に略沿ったパイプ状の本体部と、少なくとも一部が中空状に形成された基台部とを備えており、上記本体部は上記基台部を介してシンクの上面で上記凹部周縁よりも外側に取り付けられていることを特徴とする流体供給装置。
【請求項２】
上記複数の流体供給機構は、手洗い水、温水、石鹸液、消毒液、うがい液および温風の供給機構のうちの少なくとも２つを含むものであることを特徴とする請求項１記載の流体供給装置。
【請求項３】
上記複数の流体供給機構は、少なくとも、手洗い水および温水のいずれか一方、石鹸液、消毒液およびうがい液の供給機構を含むものであることを特徴とする請求項２記載の流体供給装置。
【請求項４】
上記ユニット体の所定の吐出口部の近傍には、当該吐出口部の流体について使用者の使用動作を検知する検知センサが設けられ、該検知センサが上記使用動作を検知することにより、当該吐出口部に対応する流体供給機構が駆動されて、該吐出口部からの流体の供給が自動的に行われることを特徴とする請求項１〜請求項３のいずれか一に記載の流体供給装置。
【請求項５】

上記検知センサのうちシンク凹部の使用者から遠い側の周縁部の略中央に対応する部位に配設された中央検知センサは、上記シンク凹部の略中心を指向するように検知方向が設定され、他の検知センサは、上記シンク凹部の略中心を指向する方向から所定角度だけ使用者に近い側へ乖離する方向に検知方向が設定されていることを特徴とする請求項４記載の流体供給装置。
【請求項６】
上記複数の流体供給機構は少なくともうがい液の供給機構を含むものであり、うがい液の吐出口部からうがい液を吐出させる際に操作されるうがい液吐出スイッチが設けられていることを特徴とする請求項４又は５に記載の流体供給装置。
【請求項７】
上記複数の流体供給機構のうち薬液を供給する流体供給機構は、当該薬液を貯える薬液容器から対応する吐出口部に薬液を送給するものであり、上記ユニット体には、各薬液容器内の薬液残量が所定量以下になったことを報知する報知手段がそれぞれ設けられていることを特徴とする請求項１〜請求項６のいずれか一に記載の流体供給装置。
【請求項８】
上記ユニット体の基台部は、合成樹脂製で上側に開口した断面略コ字状に形成され、該基台部の上側に支持される上記パイプ状本体部は、金属製で下側の所定箇所にネジ穴を有し、上記基台部の底面側からネジ部材を螺着させることによって基台部に締結固定されており、該基台部は、その底面の上下に配設した金属製座金部材およびネジ部材を介してシンクに締結固定されていることを特徴とする請求項１〜請求項７のいずれか一に記載の流体供給装置。
【請求項９】
上記各流体供給機構の吐出口部ならびに上記ユニット体のパイプ状本体部または基台部材の内部に配設される配管および電気配線以外の各流体供給機構の他の基本構成要素が単一の収納ケースに収納され、この収納ケースが上記シンクの近傍に配設されていることを特徴とする請求項１〜請求項８のいずれか一に記載の流体供給装置。
【請求項１０】
上記シンクは直方体状に構成されていることを特徴とする請求項１〜請求項９のいずれか一に記載の流体供給装置。
【請求項１１】
上記ユニット体が、上記シンクの凹部周縁形状の少なくとも一部に略沿って、複数に分割されていることを特徴とする請求項１〜請求項１０のいずれか一に記載の流体供給装置。
【発明の詳細な説明】
【０００１】
【発明の属する技術分野】
本発明は、一般家庭あるいは病院や食品工場等の施設において使用される感染症予防システム及び感染症予防方法に好適に使用し得る流体供給装置に関する。
【０００２】
【従来の技術】
周知のように、病院等の医療施設においては、例えばＭＲＳＡやＶＲＥ等の感染症を予防するために、うがい液によるうがい並びに手洗い及び消毒液による手指の消毒とを行うことが奨励されている。このように、うがいと手洗いを励行することによって、病院内等における感染症への感染をある程度予防することができる。しかしながら、高齢化社会となった現在においては、いわゆる在宅看護が増加しており、家庭内においても感染症に感染することが懸念されるようになっている。
【０００３】
また、季節の変わり目等においては、インフルエンザ等がしばしば流行することがあるが、インフルエンザのような感染症に対しても、うがい及び手洗いが効果的であることが知られている。さらには、花粉症等のアレルギー症に対しても、外出後に、うがい及び手洗いを実施することによって、症状を緩和することが知られている。
【０００４】
【発明が解決しようとする課題】
このように、うがい及び手洗いの励行は、感染症やアレルギー症の予防に効果的であることが知られており、外出後の帰宅直後、特に靴等の履物を脱ぐ前に、うがい及び手洗いを実施することによって、感染症等への感染を効果的に予防することが可能である。
うがい及び手洗いは、通常、洗面所に設けられた洗面用シンク及び給水機能を利用して行われるが、一般家庭においては、洗面所は、通常、玄関から離れた位置に設けられているために、外出から帰宅しても洗面所に直行することが煩わしく、あるいはこれを失念しがちである。従って、帰宅直後、特に靴等の履物を脱ぐ前に、うがい及び手洗いが確実に行われることは期待し難い。
【０００５】
また、食品工場等の施設においては、工場内での作業を開始する場合には、通常、うがい及び手洗いを当然に実施されるが、うがい及び手洗いを実施するための洗面所が、出入り口近傍に配置されていない場合には、うがい及び手洗いの実施を失念する惧れがある。
【０００６】
ところで、手洗いやうがいを行うために、通常、洗面所などに設置される装置として、手洗い水やうがい液など種類の異なる流体を供給する複数の流体供給機構を備えるとともに、各流体供給機構ごとにその先端に吐出口部を有するバルブ体もしくはノズル体（所謂、カラン）をシンクの上部に配設したものが知られている。尚、種類の異なる流体としては、例えば、手洗い用の水もしくは温水に加えて、石鹸液、消毒液あるいはうがい液などの薬液、更には、これらに加えて温風を供給するようにしたものも公知である。
【０００７】
しかしながら、上記のような構成では、各流体の供給機構ごとに、バルブ体もしくはノズル体（カラン）を例えば鋳造等で製作し、これらをシンクの上部に配設する必要があるので、これらの部分の製作に手間とコストが掛かり、装置全体の製造コストの削減を図る上で一つのネックとなっていた。
【０００８】
また、手洗いやうがいを行うための流体供給装置として、各流体供給機構ごとに所謂カランを設ける代わりに、例えば樹脂製の中空カバー体等でなる共通のカバー体をシンクの上面に立設し、この共通のカバー体の所定部位に各流体供給機構の吐出口部を設けたものが知られている。
この構成によれば、各流体供給機構ごとに、吐出口部に対応する流体供給機構の流体送給管をカバー体の内部で接続するだけで良く、個別のカランをそれぞれ設ける必要はなくなる。
【０００９】
しかし、このようなカバー体を製作するには、専用の成形金型を用意し、この専用の金型を用いて樹脂成形を行う必要がある。しかも、流体供給装置のタイプに応じて、カバー体に設けるべき吐出口部の数や種類、更に、場合によってはカバー体のデザイン自体が異なるので、流体供給装置のタイプに応じて個々に成形金型を用意する必要があり、その上、カバー体を成形する際の生産ロットのサイズもそれだけ小さなものとなる。従って、金型費用を含めたカバー体の製造コストが高くなり、生産数量によっては、各流体供給機構ごとに所謂カランを設ける場合に比して十分なコスト削減効果を得ることは難しい。
【００１０】
また、かかるカバー体は、通常、シンクの凹部周縁に沿って立設されるが、従来のカバー体を用いた場合、かなりの高さのものがシンク凹部の周縁から、該凹部の一部に覆い被さるように立設されることとなる。
このため、上方からの照明光がこのカバー体によって遮られ、ユーザが手洗い等を行う際に手元が暗くなって使い勝手が悪くなる場合があり、また、装置の外観デザインとしても、シンク周縁が雑然とした印象を与えるので余り良くない、という難点があった。
【００１１】
本発明は、以上のような技術的課題に鑑みてなされたもので、その目的は、流体供給装置、好ましくは、感染症への感染予防に有効なシステム及び方法に好適に使用することができる流体供給装置を提供することにある。
【００１２】
【課題を解決するための手段】
このため、本願発明に係る流体供給装置は、種類の異なる流体を供給する複数の流体供給機構を備えるとともに、各流体供給機構の吐出口部が共通のユニット体の所定部位に設けられ、該ユニット体がシンクの上部に配設されてなる流体供給装置であって、上記ユニット体は、上記シンクの凹部周縁形状の少なくとも一部に略沿ったパイプ状の本体部と、少なくとも一部が中空状に形成された基台部とを備えており、上記本体部は上記基台部を介してシンクの上面で上記凹部周縁よりも外側に取り付けられている、ことを特徴としたものである。
【００１５】
上記発明に係る流体供給装置において、上記複数の流体供給機構は、手洗い水、温水、石鹸液、消毒液、うがい液および温風の供給機構のうちの少なくとも２つを含むものであることが好ましい。
この場合において、上記複数の流体供給機構は、少なくとも、手洗い水および温水のいずれか一方、石鹸液、消毒液およびうがい液の供給機構を含むものであることがより好ましい。
【００１６】
また、以上の流体供給装置において、上記ユニット体の所定の吐出口部の近傍には、当該吐出口部の流体について使用者の使用動作を検知する検知センサが設けられ、該検知センサが上記使用動作を検知することにより、当該吐出口部に対応する流体供給機構が駆動されて、該吐出口部からの流体の供給が自動的に行われることが好ましい。
特に、上記検知センサのうちシンク凹部の使用者から遠い側の周縁部の略中央に対応する部位に配設された中央検知センサは、上記シンク凹部の略中心を指向するように検知方向が設定され、他の検知センサは、上記シンク凹部の略中心を指向する方向から所定角度だけ使用者に近い側へ乖離する方向に検知方向が設定されていることがより好ましい。
これらの場合において、上記複数の流体供給機構は少なくともうがい液の供給機構を含むものであり、うがい液の吐出口部からうがい液を吐出させる際に操作されるうがい液吐出スイッチが設けられていることがより好ましい。
【００１７】
更に、以上の流体供給装置において、上記複数の流体供給機構のうち薬液を供給する流体供給機構は、当該薬液を貯える薬液容器から対応する吐出口部に薬液を送給するものであり、上記ユニット体には、各薬液容器内の薬液残量が所定量以下になったことを報知する報知手段がそれぞれ設けられていることが好ましい。
【００１８】
また更に、以上の流体供給装置において、上記ユニット体の基台部は、合成樹脂製で上側に開口した断面略コ字状に形成され、該基台部の上側に支持される上記パイプ状本体部は、金属製で下側の所定箇所にネジ穴を有し、上記基台部の底面側からネジ部材を螺着させることによって基台部に締結固定されており、該基台部は、その底面の上下に配設した金属製座金部材およびネジ部材を介してシンクに締結固定されていることが好ましい。
【００１９】
また更に、以上の流体供給装置において、上記各流体供給機構の吐出口部ならびに上記ユニット体のパイプ状本体部または基台部材の内部に配設される配管および電気配線以外の各流体供給機構の他の基本構成要素が単一の収納ケースに収納され、この収納ケースが上記シンクの近傍に配設されていることが好ましい。
【００２０】
また更に、以上の流体供給装置において、上記シンクは直方体状に構成されていることが好ましい。
【００２１】
また更に、以上の流体供給装置において、上記ユニット体が、上記シンクの凹部周縁形状の少なくとも一部に略沿って複数に分割されていることが好ましい。
【００２４】
【発明の実施の形態】
以下、本発明の実施の形態を、添付図面に基づいて詳細に説明する。
図１は、本発明の実施の形態に係る感染症予防システムの一例を示す概略構成図である。この図に示すように、本実施の形態に係る感染症予防システムでは、例えば、一般家庭における建物の玄関に設けられた出入り口６１の近傍における土間上に、感染症への感染の予防を図る流体供給装置として、手洗いおよびうがいを行うための薬液供給装置Ａが設置されている。尚、この薬液供給装置Ａが、本願請求項に記載した「流体供給装置」に相当している。
【００２５】
また、玄関における出入り口６１の上方には、外部から家屋内に進入する（つまり、帰宅もしくは来訪する）人を検出するために、例えば赤外線などを利用して人体を検知する赤外線センサ等の人体検出センサ６２が設けられている。
更に、出入り口６１の近傍には、人体検出センサ６２によって屋内に進入する人体が検出された際に、その人に対して予め設定された音声を出力する音声出力装置６３が設けられている。この音声出力装置６３には、感染症への感染を予防するために、うがい及び手洗いの実行を促す音声、例えば、小学５〜６年生程度の児童による「お帰りなさい。うがい、手洗いをお願いします。」との音声が予め設定されている。
【００２６】
このように、出入り口から建物内に進入する人に対して音声によってうがい及び手洗いの実施を促すとともに、手洗いおよびうがいを行うための薬液供給装置Ａが出入り口近傍に設けられているために、うがい及び手洗いを、煩わしさを感じることなく実施することができる。その結果、感染症への感染を効果的に予防することができるのである。また、アレルギー症についても効果的に予防することができる。
【００２７】
図２は上記の感染症予防システムに使用される上記薬液供給装置の一例を概略的に示す斜視図、図３はその上部の拡大斜視図、図４は上記薬液供給装置の正面説明図、また、図５はその側面説明図である。
これらの図に示すように、上記薬液供給装置Ａは、支持台１０上に配置されたシンク２１と、このシンク２１上に配置されたノズルユニット３０とを備え、例えば、玄関の出入り口６１に近接した壁面に沿って設置される。
【００２８】
上記シンク２１は、例えば石材を素材として直方体状に構成されており、その内部には上方が開口した略半球面状の凹部２１ａが設けられている。
このように、上記シンク２１を直方体状に構成したことにより、一般家庭の玄関先などでも違和感なく薬液供給装置Ａを設置することができる。また、シンク２１の材料として、高級感がありデザイン性にも優れた石材を用いる場合でも、その外形の加工を容易に行えるのである。
【００２９】
また、シンク２１の下部には、図５から良く分かるように、排水管２２の上端部が連結されており、凹部２１ａの内部と排水管２２とが連通している。排水管２２は、支持台１０の上部に設けられた収納室１１内にてＵ字状に湾曲されて、背面側で略水平方向に延出しており、薬液供給装置Ａが配置される壁面の内部に設けられた排水用配管（不図示）に接続されている。
なお、床下に排水用配管が設けられる場合には、配水管２２は、その床下の排水用配管に接続される。
【００３０】
シンク２１の上面には、凹部２１ａの開口部の周縁部に沿って略円弧状に湾曲したユニット体３０（ノズルユニット）が設けられている。該ノズルユニット３０は、上記凹部２１ａにおける開口部の背面側周縁のほぼ半周に沿って円弧状に形成された中空のケーシング３１（ユニットケーシング）を備えており、該ケーシング３１は、断面形状が例えば円形の中空状に形成されたパイプ本体７２と、該パイプ本体７２の下部に配置される基台部７１とで構成されている。
【００３１】
上記パイプ本体７２は、より好ましくは、市販のパイプ材（例えば、ステンレス鋼製パイプ材）を素材として形成され、また、上記基台部７１は、例えば合成樹脂により、断面形状が例えば矩形状で少なくともその一部が中空状に形成されている。そして、上記パイプ本体７２は、上記基台部７１を介してシンク２１の上面で凹部２１ａの開口部周縁よりも外側に取り付けられている。
【００３２】
このように、シンク２１の上部に、シンク凹部２１ａの周縁形状の少なくとも一部に略沿って、本体部７２がパイプ状のケーシング３１を備えたノズルユニット３０が設けられたシンプルでコンパクトな構成になっており、装置の外観デザインとしても、簡素ですっきりした印象を与えるものである。従って、例えば一般家庭などの玄関等においても違和感なく好適に設置することができ、上述の感染症予防システムを一般家庭などに適用する場合の薬液供給装置Ａとしても、好適に用いることができるのである。
【００３３】
特に、上記パイプ状本体部７２はシンク２１の上面で凹部２１ａの周縁よりも外側に取り付けられており、凹部周縁から凹部２１ａの一部に覆い被さることはないので、従来のカバー体を用いた場合のように、ユーザが手洗い等を行う際に手元が暗くなるなど、使い勝手が阻害されることはない。しかも、ユニットケーシング３１の本体部７２はパイプ状であるので、市販のパイプ材を使用することも可能となり、従来、樹脂成形品のカバー体を用いていた場合に比して、金型費用を含めた製造コストを削減することができるようになる。
【００３４】
図６は、図４のＹ６−Ｙ６線に沿った断面説明図である。この図６及び図３から良く分かるように、上記基台部７１の一方の端部は正面側に向かって直線状に延出しており、その基台部７１の端部上に位置するパイプ本体部分は、該基台部７１の端部よりもさらに正面側に直線状に延出している。パイプ本体７２の直線状に延出した端部における端面３１ｃは、正面に平行な上下垂直面に対して所定角度だけ傾斜した傾斜面になっている。尚、パイプ本体７２の他方の端面３１ｄは、上下に垂直な垂直面になっている。
【００３５】
また、図３及び図６に示すように、上記パイプ本体７２のシンク２１背面側に位置する部分（つまり、パイプ本体７２の略中央部分）には、正面側に所定量突出する給水ノズル３２が設けられている。この給水ノズル３２は、断面形状が横長の長円形状に形成され、支持台１０の上部の収納部１１に設けられた給水配管５５（図８参照）に対し、給水電磁弁５６（図８参照）を介して連結されている。
【００３６】
上記基台部７１の給水ノズル３２下方に位置する部分（つまり、基台部７１の略中央部分）には、給水センサ３３が設けられている。該給水センサ３３は、例えば赤外線を利用した近接スイッチによって構成されており、使用者が給水を利用する使用動作として、手指を給水センサ３３に接近させた場合に、その動作を検知するようになっている。
【００３７】
また、パイプ本体７２の傾斜端面３１ｃの近傍には、うがい液を吐出する略円柱形のうがい液ノズル３４が設けられている。このうがい液ノズル３４は、パイプ本体７２から、やや傾斜した状態でシンク凹部２１ａの上方に向かって所定量突出している。
このうがい液ノズル３４は、支持台１０の収納部１１内に収納されたうがい薬ボトル４１（図４参照）内のうがい薬を、給水配管５５（図８参照）からうがい液用給水電磁弁５６（図８参照）を介して供給される水によって８０〜１００倍程度に希釈したうがい薬として噴流状態で吐出するものである。
【００３８】
上記うがい液ノズル３４は、例えば特許第２５６７５７３号公報に開示されている構成と同様の基本構成を備えており、このうがい液ノズル３４には、給水配管５５からの水が所定の空間部を介して供給されるようになっている。そして、うがい液ノズル３４から水が吐出される際に発生する負圧によって、うがい薬ボトル４１内のうがい薬が、うがい薬電磁弁５３（図７参照）を介して、吸い上げられ供給される。このように、うがい液ノズル３４でうがい液が水と混合されて、うがい液の噴流として吐出されるようになっている。
尚、基台部７１のうがい液ノズル３４下方に位置する部分には、うがい液ノズル３４に供給される水の余剰分を排出する排出口３１ｅが設けられている。
【００３９】
また、パイプ本体７２の傾斜した端面３１ｃ（うがい液ノズル３４に近接した傾斜端面）には、うがい液ノズル３４からうがい液の噴流を吐出させる際に操作されるうがい液吐出スイッチ３５が設けられており、このうがい液吐出スイッチ３５の上側には、うがい薬ボトル４１内に貯えられたうがい薬の液切れを報知するうがい薬液切れランプ３１ｋが配置されている。
【００４０】
更に、上記パイプ状本体部７２におけるうがい液ノズル３４と給水ノズル３２との略中間部分には、略円柱状の石鹸液ノズル３６が設けられている。この石鹸液ノズル３６は、パイプ本体７２から、やや傾斜した状態でシンク凹部２１ａの内部に向かって所定量突出している。この石鹸液ノズル３６は、支持台１０の収納部１１内に収納された石鹸液ボトル４２（図４参照）内の石鹸液を吐出するものである。
【００４１】
上記基台部７１の石鹸液ノズル３６下方に位置する部分には、石鹸液ボトル４２内の石鹸液の液切れを表示する石鹸液液切れランプ３１ｇが設けられており、また、この石鹸液液切れランプ３１ｇの側方には、石鹸液吐出センサ３７が設けられている。この石鹸液吐出センサ３７は、例えば赤外線を利用した近接スイッチによって構成されており、使用者が石鹸液を使用する際に、その使用動作として、手指を石鹸液吐出センサ３７に接近させた場合に、その手を検知するようになっている。
【００４２】
また、更に、パイプ本体７２の垂直端部３１ｄ（うがい液ノズル３４が設けられた傾斜端部３１ｃとは反対側の端部）の近傍には、略円柱状の消毒液ノズル３８が設けられている。この消毒液ノズル３８は、パイプ本体７２から、やや傾斜した状態でシンク凹部２１ａの内部に向かって所定量突出している。この消毒液ノズル３８は、支持台１０の収納部１１内に収納され消毒液ボトル４３（図３参照）内の消毒液を吐出するものである。
【００４３】
上記基台部７１の消毒液ノズル３８下方に位置する部分には、消毒液ボトル４３内の消毒液の液切れを表示する消毒液液切れランプ３１ｈが設けられており、また、この消毒液液切れランプ３１ｈの側方には、消毒液吐出センサ３９が設けられている。この消毒液吐出センサ３９は、例えば赤外線を利用した近接スイッチによって構成されており、使用者が消毒液を使用する際に、その使用動作として、消毒液吐出センサ３９に手指を接近させた場合に、その手を検知するようになっている。
【００４４】
上述のように、給水ノズル３２，石鹸液ノズル３６及び消毒液ノズル３８の近傍には、当該ノズルが吐出する液体について使用者の使用動作を検知する検知センサとして、給水センサ３３，石鹸液吐出センサ３７及び消毒液吐出センサ３９がそれぞれ設けられ、当該センサが上記使用者の使用動作を検知することにより、当該ノズルに対応する流体供給機構が駆動されて該ノズルからの液体の供給が自動的に行われるようになっている。
【００４５】
上記薬液供給装置Ａでは、上記各センサのうち給水センサ３３が、シンク凹部２１ａの使用者から遠い側（図６における左側）の周縁部の略中央に対応する部位に位置している。また、残りの石鹸液吐出センサ３７及び消毒液吐出センサ３９は、上記シンク凹部２１ａの周縁部に沿って上記給水センサ３３から左側および右側に所定間隔だけ離間した部位に位置している。尚、上記給水センサ３３が本願請求項に記載した「中央検知センサ」に、また、上記石鹸液吐出センサ３７及び消毒液吐出センサ３９が「他の検知センサ」に、それぞれ相当している。
【００４６】
本実施の形態では、図６から良く分かるように、中央の給水センサ３３はそのセンサ面がシンク凹部２１ａの周縁の接線方向と略平行になるように配設される一方、左右に位置する石鹸液吐出センサ３７及び消毒液吐出センサ３９は、そのセンサ面がシンク凹部２１ａの周縁の接線方向に対し所定角度傾斜して配設されている。
すなわち、中央の給水センサ３３は、上記シンク凹部２１ａの中心Ｊを略指向する（１点鎖線Ｌ１参照）ように、その検知方向（実線矢印Ｋ１参照）が設定されている。一方、石鹸液吐出センサ３７及び消毒液吐出センサ３９は、上記シンク凹部２１ａの中心Ｊを指向する方向（１点鎖線Ｌ２及びＬ３参照）から、それぞれ所定角度βだけ使用者に近い側へ乖離する方向に検知方向（実線矢印Ｋ２及びＫ３参照）が設定されている。
【００４７】
もし、中央の給水センサ３３だけでなく、石鹸液吐出センサ３７及び消毒液吐出センサ３９についても、その検知方向が上記シンク凹部２１ａの中心Ｊを略指向する（１点鎖線Ｌ２及びＬ３参照）ように設定されていれば、使用者が給水ノズル３２を使用すべく中央の給水センサ３３の前方に手指を差し出した際（若しくは、差し出すべく接近させる際に）に、その差し出し方向あるいは差し出した位置によっては、左右に位置する石鹸液吐出センサ３７及び／又は消毒液吐出センサ３９が誤検知して、石鹸液ノズル３６及び／又は消毒液ノズル３８から石鹸液及び／又は消毒液が吐出されてしまう可能性がある。或いは、逆に、使用者が石鹸液ノズル３６又は消毒液ノズル３８を使用すべく、石鹸液吐出センサ３７又は消毒液吐出センサ３９の感知範囲内に手指を差し出そうとした際に、中央の給水センサ３３が誤検知することも考えられる。
このような誤検知は、上記石鹸液吐出センサ３７，消毒液吐出センサ３９の感度が高いほど、或いは検知距離が短いほど生じ易い。更に、シンク凹部２１ａの周縁形状が円形の場合、また、シンク凹部２１ａが小さい場合に、特に生じ易くなる。
【００４８】
本実施の形態では、上述のように、中央の給水センサ３３は、上記シンク凹部２１ａの中心Ｊを略指向する（１点鎖線Ｌ１参照）ように、その検知方向（実線矢印Ｋ１参照）が設定されており、この実線矢印Ｋ１の方向に対して使用者の手指を感知する。これに対して、石鹸液吐出センサ３７及び消毒液吐出センサ３９は、上記シンク凹部２１ａの中心Ｊを指向する方向（１点鎖線Ｌ２及びＬ３参照）から、それぞれ所定角度βだけ使用者に近い側へ乖離する方向に検知方向（実線矢印Ｋ２及びＫ３参照）が設定されており、上記実線矢印Ｋ１の方向から使用者に近い側に（換言すれば、中央の給水センサ３３から離れる側に）それぞれ乖離した実線矢印Ｋ２及びＫ３の方向に対して使用者の手指を感知する。
【００４９】
従って、使用者が給水ノズル３２を使用すべく中央の給水センサ３３の感知範囲内に手指を差し出そうとした際に、左右の石鹸液吐出センサ３７及び／又は消毒液吐出センサ３９が誤検知すること、或いは逆に、使用者が石鹸液ノズル３６又は消毒液ノズル３８を使用すべく、石鹸液吐出センサ３７又は消毒液吐出センサ３９の感知範囲内に手指を差し出そうとした際に、中央の給水センサ３３が誤検知することを有効に防止できるのである。
尚、検知センサが複数設けられている場合における各検知センサの検知方向についての上記のような設定は、本実施の形態のように各吐出ノズル（及びそれに対応する各検知センサ）が共通のユニット体に設けられている場合だけではなく、各吐出ノズル（および各検知センサ）がそれぞれ独立して設けられている場合にも有効であることは言うまでもない。
【００５０】
前述のように、上記薬液供給装置Ａは、手洗い水、石鹸液、消毒液およびうがい液の供給を行うものであるので、衛生度の高い手洗い及び手指の消毒並びにうがいを行うことができる。従って、上述の感染症予防システムを適用する場合の薬液供給装置として、好適に用いることができる。
【００５１】
また、上記ノズルユニット３０の各吐出ノズル３２，３６，３８の近傍に設けた検知センサ３３，３７，３９が当該吐出ノズルの流体について使用者の使用動作を検知することにより、該吐出ノズルからの流体の供給が自動的に行われるので、手洗い及び手指の消毒を行う際に、使用者はその手指を装置Ａに触れる必要がなく、より一層衛生的な手洗い及び／又は手指の消毒を行うことができるのである。
【００５２】
尚、この場合において、うがい液の吐出ノズル３４からうがい液を吐出させる際に操作されるうがい液吐出スイッチ３５が設けられているので、使用者の意志に応じたうがいを行うことができる。従って、この装置Ａを、上述の感染症予防システムを適用する場合の薬液供給装置として、好適に用いることができる。
【００５３】
次に、上記ノズルユニット３０のユニットケーシング３１の構成およびシンク２１への取付構造について、図９〜図２２を参照しながら説明する。
図９は上記ユニットケーシング３１のパイプ本体７２の基台部７１への固定構造を示すユニットケーシング３１の縦断面説明図、図１１はその要部を拡大して示す断面説明図、また、図１０は上記基台部７１のシンク２１への固定構造を示す部分断面説明図、図１２はその要部を拡大して示す断面説明図である。
【００５４】
また、図１３及び図１４は、上記ユニットケーシング３１のパイプ本体７２の平面説明図および側面説明図（図１３における矢印Ｙ１４−Ｙ１４方向からの矢視図）である。この図１３及び図１４に示すように、パイプ本体７２の下面側には、各ノズル用の配管や各センサ若しくは液切れ表示ランプ用の電気配線等をパイプ本体７２内に引き込むための多数の穴部７２ｈ１〜７２ｈ３が設けられるとともに、ネジ部材７７（所謂、皿ネジ：図９及び図１１参照）を螺着させるためのネジ穴７２ａが複数箇所（本実施の形態では、例えば４箇所）に設けられている。
【００５５】
更に、図１８及び図１９は、上記ユニットケーシング３１の基台部７１の平面説明図および正面説明図（図１８における矢印Ｙ１９−Ｙ１９方向からの矢視図）である。この図１８及び図１９に示すように、基台部７１の底面部７１ｆには、上記パイプ本体７２の各ネジ穴７２ａに対応する部位にボス部７１ｂが形成され、各ボス部７１ｂにはネジ部材７７を挿通させるネジ挿通穴７１ａが、それぞれ設けられている。
また、この基台部７１の底面部７１ｆにはボルト部材７８（図１０及び図１２参照）を挿通させるボルト挿通穴７１ｃが複数箇所（本実施の形態では、例えば２箇所）に設けられている。
【００５６】
また、更に、図２０及び図２１は、上記基台部７１の底面部７１ｆの下側に配設されるベースパッキン７５及びベースプレート７４の平面説明図である。この図２０及び図２１に示すように、上記ベースパッキン７５及びベースプレート７４には、上記ネジ部材７７を挿通させるために、基台部７１の各ネジ挿通穴７１ａにそれぞれ対応したネジ挿通穴７５ａ及び７４ａがそれぞれ設けられ、また、上記ボルト部材７８を挿通させるために、基台部７１の各ボルト挿通穴７１ｃにそれぞれ対応したボルト挿通穴７５ｃ及び７４ｃがそれぞれ設けられている。
【００５７】
上記基台部７１の側壁７１ｓの上端部とパイプ本体７２との間には、シールモール７３が装着される（図９〜図１２参照）。図１５及び図１６は、このシールモール７３の平面説明図および正面説明図（図１５における矢印Ｙ１６−Ｙ１６方向からの矢視図）である。また、図１７は、このシールモール７３の先端シール部７３ｓの断面形状を拡大して示したものである。
また、基台部７１の底面部７１ｆとボルト部材７８の頭部７８Ｈとの間には、金属製のワッシャ７６が介装される（図１０及び図１２参照）。図２２はこのワッシャ７６の平面説明図である。
【００５８】
上記シールモール７３及びベースパッキン７５は、弾性に冨みシール性に優れた材料として、例えばゴム若しくは軟質の樹脂等が用いられる。また、ベースプレート７４及びワッシャ７６は、例えばステンレス鋼板を材料に用いて製作される。また、ボルト部材７８は、例えば中空パイプの外周の一部に雄ネジを螺設したものにボルト頭部７８Ｈを組み付けた組立ボルトが用いられる。
【００５９】
以上の構成において、ユニットケーシング３１を（つまり、基台部７１及びパイプ本体７２を）シンク２１の上面に取り付け固定する際には、例えば、以下のような手順で行う。
まず、基台部７１の上側開口から、該基台部７１の底面部７１ｆの所定部位に上記ワッシャ７６をセットする（図２２参照）。このとき、ワッシャ７６は、基台部７１の底面７１ｆ上に設けられた位置決め用の一対の突起部７１ｄと両側壁７１ｓとによって、正確に位置決めされる。この位置決め状態で、例えば小径のネジ部材等を用いてワッシャ７６を基台部７１の底面７１ｆ上に締結固定することが、より好ましい。
そして、基台部７１の上側開口から上記各ボルト部材７８を差し入れ、該ボルト部材７８を上記ワッシャ７６及び基台部７１底面部７１ｆのボルト挿通穴７６ｃ及び７１ｃに挿通させておく。
【００６０】
次に、上記基台部７１の底面部７１ｆの下面側に上記ベースプレート７４及びベースパッキン７５を順に装着し、上記各ネジ部材７７をベースパッキン７５，ベースプレート７４及び基台部７１のボス部７１ｂのネジ挿通穴７４ａ，７５ａ及び７１ａに、基台部７１の下面側から挿通させる。この状態で、基台部７１の側壁７１ｓの上端部に上記シールモール７３を装着し、その上からパイプ本体７２を載置し、その各ネジ穴７２ａを上記各ネジ部材７７の先端に対して位置決めする。
そして、各ネジ部材７７を対応する各ネジ穴７２ａにねじ込んで螺着させることにより、パイプ本体７２が基台部７１に対して組み付けられ締結固定される（図９及び図１１参照）。つまり、このようにして、ユニット体３０のケーシング３１が形成される。
【００６１】
次いで、このケーシング３１をシンク２１の上方に持ち越し、ケーシング３１の基台部７１の下面側から垂下した各ボルト部材７８を、シンク２１の対応する各ボルト挿通穴２１ｈに挿通させ、シンク２１の下側からナット７９を螺着させて締付ける。これにより、パイプ本体７２を一体的に固定した基台部７１がシンク２１の上面に締結固定される。
【００６２】
以上のように、上記ノズルユニット３０のケーシング３１の基台部７１が合成樹脂製で上側に開口した断面略コ字状に形成され、該基台部７１の上側に支持されるパイプ状本体部７２は、金属製で下側の所定箇所にネジ穴７２ａを有し、上記基台部７１の底面７１ｆ側からネジ部材７７を螺着させることによって基台部７１に締結固定されている。そして、該基台部７１はその底面７１ｆの上下に配設した金属製のワッシャ７６及びベースプレート７４並びにボルト部材７８を介してシンク２１に締結固定されている。
かかる固定構造を採用することにより、合成樹脂製の基台部７１と金属製のパイプ状本体部７２とを有するユニットケーシング３１を備えたノズルユニット３０を、容易かつ確実に、しかも強固に、シンク２１の上面に取り付けることができるのである。
【００６３】
図４及び図５に示すように、シンク２１を支持する支持台１０の上部の収納部１１には、例えば金属製の箱体１５（収納ケース）が収納されており、この収納ケース１５内に、うがい薬が収容されたうがい薬ボトル４１，石鹸液が収容された石鹸液ボトル４２，消毒液が収容された消毒液ボトル４３が、それぞれ収納されている。
また、上記収納部１１の正面には、開閉可能になった開閉カバー１２が設けられており、この開閉カバー１２の背面には、手動操作機能、作動表示機能等を有する表示基板１３ａが設けられている。また、上記収納ケース１５の内面には、各種センサの検知結果に基づいて各ポンプ、電磁弁、液切れランプ等を制御する制御素子が設けられた制御基板１３ｂ（図４及び図５における斜線表示参照）が設けられている。
【００６４】
図７（ａ）及び（ｂ）は、それぞれ、支持台１０の収納部１１内の収納ケース１５における各ボトル４１〜４３を取り除いた状態を示す概略正面図である。収納ケース１５内には、図７（ａ）に示すように、消毒液ボトル４３内の消毒液を消毒液ノズル３８に供給する電磁式の消毒液ポンプ５１が設けられており、また、消毒液ボトル４３内の消毒液の液切れを検知する消毒液液切れセンサ５２が設けられている。消毒液液切れセンサ５２は、消毒液ボトル４３内の消毒液が液切れ状態になったことを検知するようになっており、消毒液が液切れ状態であることが検出されると、ノズルユニット３０の基台部７１に設けられた消毒液液切れランプ３１ｈが点灯される。
【００６５】
また、上記収納ケース１５内には、図７（ｂ）に示すように、うがい薬ボトル４１内のうがい薬を、うがい液ノズル３４に供給する電磁式のうがい薬電磁弁５３が設けられるとともに、うがい薬ボトル４１内のうがい薬の液切れを検知するうがい薬液切れセンサ５４が設けられている。うがい薬液切れセンサ５４は、うがい薬ボトル４１内のうがい薬が液切れ状態になったことを検知するようになっており、うがい薬の薬切れが検出されると、ノズルユニット３０の基台部７１における端面３１ｃに設けられたうがい薬液切れランプ３１ｋが点灯される。
【００６６】
図８は、支持台１０の収納部１１内の収納ケース１５における各ボトル４１〜４３を取り除いた状態を示す概略側面図である。収納ケース１５内には、給水管に接続される給水配管５５が設けられており、この給水配管５５に、給水ノズル３２に給水する際に開状態とされる給水電磁弁５６が設けられている。また、給水配管５５には、うがい薬ノズル３６に給水する際に開状態とされるうがい液用給水電磁弁５７も設けられている。
【００６７】
さらに、上記収納ケース１５には、石鹸液ボトル４２内の石鹸液を、石鹸液ノズル３６に供給する電磁式の石鹸液ポンプ５８が設けられており、また、石鹸液ボトル４２内の石鹸液の液切れを検知する石鹸液液切れセンサ５９も設けられている。石鹸液液切れセンサ５９は、石鹸液ボトル４２内の石鹸液が液切れ状態になったことを検知するようになっており、石鹸液の液切れが検出されると、ノズルユニット３０の基台部７１に設けられた石鹸液液切れランプ３１ｇが点灯される。
【００６８】
以上のように、上記ノズルユニット３０のユニットケース３１の基台部７１には、薬液を貯える各薬液ボトル４１，４２，４３内の薬液残量が所定量以下になったことを報知する報知手段としての各液切れランプ３１ｈ，３１ｇ，３１ｋがそれぞれ設けられていることにより、残量が少なくなった薬液の補給を行うことが可能になり、各薬液ボトル４１，４２，４３内の薬液について、残量がゼロ（０：零）となって実際に液切れが生じることを未然に防止することができるのである。
【００６９】
尚、上記各吐出ノズル３２，３４，３６，３８と各電磁弁５３，５６，５７と各ポンプ５１，５８と給水配管５５及び各薬液ボトル４１，４２，４３、及びこれらの間の配管、並びに各電磁弁５３，５６，５７及び各ポンプ５１，５８の制御機構が、本願請求項に記載した各流体についての「流体供給機構」に相当している。
【００７０】
また、上述のように、本実施の形態に係る薬液供給装置Ａでは、各流体供給機構の吐出ノズル３２，３４，３６，３８並びに上記ノズルユニット３０のユニットケーシング３１の内部に配設される配管および電気配線以外の各流体供給機構の他の基本構成要素が単一の収納ケース１５に収納されている。そして、これら基本構成要素は、必要に応じてこの収納ケース１５回りの配管および電気配線等と、比較的簡単な作業で脱着できる接続具を介して接続されている。
【００７１】
従って、例えば、装置Ａのメインテナンスを行う場合などには、上記接続具による接続状態を解除して、上記収納ケース１５を収納部１１から引き出すことにより、収納ケース１５内の基本構成要素を容易に取り出すことができる。
逆に、装置Ａを製作する場合には、上記各流体供給機構の基本構成要素を装置Ａの組立とは別途に組み立てて単一の収納ケース１５内に収納しておくことができ、各流体供給機構の組立工程の作業性が向上する。
尚、上記開閉カバー１２を収納ケース１５の開閉カバーとして該ケース１５と一体的に設けるようにしても良い。この場合には、表示基板１３ａも収納ケース１５と一体的に取り扱うことができる。
【００７２】
以上のように、組み立てた各流体供給機構の基本構成要素は、単一の収納ケース１５ごと簡単に移動できるので、装置Ａの組立作業性が向上し、更に、メインテナンス時の点検・補修作業も行い易くなりサービス性も向上する。また更に、シンク２１のデザイン等が異なる場合でも、単一の収納ケース１５内に収納された上記各流体供給機構の基本構成要素を共通して使用することも可能となり、多種類の薬液供給装置Ａを生産する場合の効率を高めることができるのである。
【００７３】
以上のような構成の薬液供給装置では、使用者が給水ノズル３２から水を吐出させるために、給水センサ３３に手を近接させると、給水電磁弁５６が開状態となり、給水ノズル３２から水が吐出される。
【００７４】
同様に、使用者が石鹸液ノズル３６及び消毒液ノズル３８から、石鹸液及び消毒液をそれぞれ吐出させるために、石鹸液吐出センサ３７及び消毒液吐出センサ３９にそれぞれ手を接近させると、石鹸液ポンプ５８及び消毒液ポンプ５１がそれぞれ駆動されて、石鹸液ノズル３６及び消毒液ノズル３８から、石鹸液及び消毒液がそれぞれ吐出される。
すなわち、石鹸液吐出センサ３７及び消毒液吐出センサ３９にそれぞれ近接している手に対して、石鹸液ノズル３６及び消毒液ノズル３８からそれぞれ吐出される石鹸液及び消毒液がそれぞれ直接に供給され、使用者は装置に手を触れる必要はない。
【００７５】
また、うがいを実施する場合には、使用者は、ノズルユニット３０のケーシング３１におけるパイプ本体７２の端面３１ｃに設けられたうがい液吐出スイッチ３５を操作する。これにより、うがい液用給水電磁弁５７及びうがい薬電磁弁５３がそれぞれ開状態となり、うがい液ノズル３４に水が供給されて、その水流によって発生した負圧によって、うがい薬がうがい薬ボトル４１から吸引される。
これにより、うがい薬ノズル３４では、吸引されたうがい薬が水と混合されて、うがい薬ノズル３４からは、水によってうがい薬が希釈されたうがい液が噴流となって吐出される。
【００７６】
このようにしてうがい液ノズル３４から吐出されるうがい薬と水とが混合されたうがい液は、コップ等に汲まれて、うがいが実施される。また、うがい液ノズル３４に口を近付けて、うがい液ノズル３４から吐出されるうがい液を、直接、口に含んでうがいを実施するようにしてもよい。
この場合、噴流としてうがい液ノズル３４から吐出される水の余剰分は、その下方に設けられた排水口３１ｅからシンク２１の凹部２１ａ内に排出される。
【００７７】
本実施の形態に係る薬液供給装置Ａでは、シンク２１の凹部２１ａにおける開口部の周囲の上面に、凹部２１ａの周縁部の一部に沿って円弧状に湾曲したノズルユニット３０が設けられており、このノズルユニット３０に、給水ノズル３２、うがい薬ノズル３４、石鹸液ノズル３６、消毒液ノズル３８が、周方向に適当な間隔をあけた状態で一体的に設けられている。また、ノズルユニット３０には、給水センサ３３、石鹸液吐出センサ３７、消毒液吐出センサ３９、石鹸液液切れランプ３１ｇ、消毒液液切れランプ３１ｈ、うがい薬液切れランプ３１ｋ等も、一体的に設けられており、コンパクトな構成になっている。
従って、このような構成の液体供給装置Ａは、一般家庭における玄関の出入り口６１の近傍における土間上に、好適に設置することができる。しかも、シンク２１が直方体状に構成されて、支持台１０上に支持されているために、デザイン的にも優れており、これによっても、一般家庭における玄関の出入り口６１近傍の土間上に、好適に設置することができる。
【００７８】
なお、消毒液ノズルは、特開平８−２９９８５３号公報に開示されているように、長期間にわたって使用されない場合に、消毒液の乾燥物を取り除く構成としてもよい。また、消毒液液切れセンサ５２、うがい薬液切れセンサ５４、石鹸液液切れセンサ５９としては、それぞれ、特開平８−３０４１４９号公報に開示されているような構成としてもよい。
【００７９】
このような薬液供給装置Ａを使用した図１に示す本発明の感染症予防システムでは、外部から玄関の出入り口６１を通って屋内に人が進入すると、人体検出センサ６２が、その人を検知して、薬液供給装置Ａに設けられた音声出力装置６３に所定信号を出力する。音声出力装置６３は、人体検出センサ６２の信号によって、出入り口６１から屋内に進入した人に対して、感染症を予防するために予め設定された音声、例えば、「お帰りなさい。うがい及び手洗いをお願いします。
」との音声を出力する。これにより、屋内に進入した人は、音声出力装置から出力されるうがい及び手洗いを促す音声に触発されて、出入り口６１の近傍の土間上に設置された薬液供給装置Ａによって、靴等の履物を脱ぐ前に、うがい及び手洗いが実施されることになる。
【００８０】
薬液供給装置Ａは、前述したように、給水センサ３３に手を接近させることによって、給水ノズル３２から水が吐出され、また、石鹸液吐出センサ３７及び消毒液吐出センサ３９に、それぞれ手を近接させることによって、石鹸液ポンプ５８及び消毒液ポンプ５１がそれぞれ駆動されて、石鹸液ノズル３６及び消毒液ノズル３８から、石鹸液及び消毒液がそれぞれ吐出される。従って、石鹸液吐出センサ３７及び消毒液吐出センサ３９にそれぞれ近接している手に対して、石鹸液ノズル３６及び消毒液ノズル３８からそれぞれ吐出される石鹸液及び消毒液が、それぞれ、直接、供給される。
【００８１】
また、うがいをする場合には、ノズルユニット３０の端面３１ｃに設けられたうがいスイッチ３５を押圧操作することにより、うがい液ノズル３４からうがい液が噴流となって吐出されて、そのうがい液によってうがいが実施される。
【００８２】
このように、出入り口６１に近接した土間上に薬液供給装置Ａを配置して、屋内に進入する人に対して、音声によるうがい及び手洗いの実施を呼びかけるようになっており、しかも、その薬液供給装置Ａによってうがい及び手洗いが、きわめて簡単な操作によって容易に実施することができるために、外出から帰宅した直後等においても、出入り口６１近傍の薬液供給装置Ａによるうがい及び手洗いを、履物を脱ぐ前に、煩わしさを感じることなく、確実に実施することができる。
【００８３】
その結果、感染症の原因となる各種細菌等が一般家庭内に進入することを予防することができ、一般家庭における感染症の感染を効果的に予防することができる。しかも、一般家庭における家族全員に対して、うがい及び手洗いを習慣化することも容易である。
【００８４】
さらに、このように、外出からの帰宅直後に、うがい及び手洗いを実施することによって、花粉症などのアレルギー症の症状を緩和することもできる。
【００８５】
なお、人体検出センサ６２による人体の検出信号は、通常、配線によって音声出力装置６３に出力されるが、電波、赤外線等によって、音声出力装置６３に出力するようにしてもよく、また、音声出力装置６３は、玄関の出入り口６１近傍に設置する構成に限らず、薬液供給装置Ａに設ける構成、あるいは、薬液供給装置Ａの近傍に設ける構成であってもよい。
【００８６】
また、出入り口６１の近傍に設ける薬液供給装置は、図１に示す構成に限定されるものではなく、例えば、通常の蛇口が設けられたシンクに、消毒液及びうがい液をそれぞれ吐出する機能を有する流体供給装置を使用してもよい。
更に、薬液供給装置としては、手洗い水、温水、石鹸液、消毒液、うがい液および温風の供給機構を備えても良く、また、これらうちの少なくとも２つを含むものであっても良い。このとき、薬液供給装置が手洗い機能のみを有する場合には、消毒機能およびうがい機能は別途に設け、薬液供給装置のシンクを利用して手指の消毒およびうがいを行えば良い。
【００８７】
また、更に、上記実施の形態では、ノズルユニット３０はシンク２１の凹部２１ａの周縁の約半周に沿った一体物のパイプ状本体部７２を有するユニットケーシング３１に各吐出ノズルを設けて形成されていたが、本発明の流体供給装置は、かかる構成に限定されるものではなく、シンクの凹部周縁形状の少なくとも一部に略沿って複数に分割されたパイプ状本体部を有するケーシングを設け、これら複数のケーシングに適当な数量の吐出ノズルをそれぞれ設けてノズルユニットを構成しても良い。かかる分割構造を採用することにより、ノズルユニットおよび各ノズルのレイアウトの自由度を高めることができる。
【００８８】
さらに、本発明の感染症予防システムは、一般家庭における玄関の出入り口近傍に薬液供給装置Ａを設ける構成に限らず、食品製造工場等における施設の建物の出入り口近傍に薬液供給装置を設ける構成であってもよい。
【００８９】
また、人体検出センサ６２によって人体を検知した回数と、支持台１０の収納部１１に設けられた消毒液ポンプ５１の駆動回数、あるいは、うがい薬電磁弁５３の駆動回数とに基づいて、建物内に進入する人が、実際にうがいあるいは手洗いを実施していない回数を把握するようにしてもよい。この場合には、各家庭、施設等に対して、うがい及び手洗いの実施を促すような処置が実施される。
【００９０】
【発明の効果】
本願発明の流体供給装置は、シンク上部に、シンク凹部の周縁形状の少なくとも一部に略沿って、本体部がパイプ状のユニット体が設けられたシンプルでコンパクトな構成になっている。従って、例えば一般家庭などの玄関等においても違和感なく好適に設置することができ、感染症予防システムを一般家庭などに適用する場合の流体供給装置としても、好適に用いることができる。
特に、パイプ状の本体部はシンク上面で凹部周縁よりも外側に取り付けられており、凹部周縁から凹部の一部に覆い被さることはないので、従来のカバー体を用いた場合のように、ユーザが手洗い等を行う際に手元が暗くなるなど、使い勝手が阻害されることはない。しかも、ユニット体の本体部はパイプ状であるので、市販のパイプ材を使用することも可能となり、従来、樹脂成形品のカバー体を用いていた場合に比して、金型費用を含めた製造コストを削減することができるようになる。
【００９２】
かかる流体供給装置において、好ましくは、上記複数の流体供給機構が、手洗い水、温水、石鹸液、消毒液、うがい液および温風の供給機構のうちの少なくとも２つを含むものであることにより、好適な手洗い、又はこれに加えてうがいを行うことができる。
この場合において、より好ましくは、上記複数の流体供給機構が、少なくとも、手洗い水および温水のいずれか一方、石鹸液、消毒液およびうがい液の供給機構を含むものであることにより、衛生度の高い手洗い及び手指の消毒並びにうがいを行うことができる。従って、本願発明の感染症予防システムを適用する場合の流体供給装置として、好適に用いることができる。
【００９３】
また、以上の流体供給装置において、好ましくは、上記ユニット体の所定の吐出口部の近傍に設けた検知センサが当該吐出口部の流体について使用者の使用動作を検知することにより、流体供給機構が駆動されて該吐出口部からの流体の供給が自動的に行われることにより、使用者はその手指を装置に一切触れる必要がなく、より一層衛生的な手洗い及び／又は手指の消毒を行うことができる。
特に、好ましくは、流体供給機構の吐出口部の近傍に設けられて当該吐出口部の流体について使用者の使用動作を検知する検知センサのうちシンク凹部の使用者から遠い側の周縁部の略中央に対応する部位に配設された中央検知センサは、上記シンク凹部の略中心を指向するように検知方向が設定され、他の検知センサは、上記シンク凹部の略中心を指向する方向から所定角度だけ使用者に近い側へ乖離する方向に検知方向が設定されることにより、使用者が中央検知センサの感知範囲内に手指を差し出そうとした際に上記他の検知が誤検知すること、或いは逆に、使用者が他の検知センサの感知範囲内に手指を差し出そうとした際に、中央検知センサが誤検知することを有効に防止できる。
この場合において、より好ましくは、上記複数の流体供給機構は少なくともうがい液の供給機構を含むものであり、うがい液の吐出口部からうがい液を吐出させる際に操作されるうがい液吐出スイッチが設けられていることにより、使用者の意志に応じたうがいを行うことができる。従って、感染症予防システムを適用する場合の流体供給装置として、好適に用いることができる。
【００９４】
更に、以上の流体供給装置において、好ましくは、上記ユニット体には、薬液を供給する各流体供給機構の各薬液容器内の薬液残量が所定量以下になったことを報知する報知手段がそれぞれ設けられていることにより、残量が少なくなった薬液の補給を行うことが可能になり、各薬液容器内の薬液について、残量がゼロ（０：零）となって実際に液切れが生じることを未然に防止することができる。
【００９５】
また更に、以上の流体供給装置において、好ましくは、上記ユニット体の基台部が合成樹脂製で上側に開口した断面略コ字状に形成され、該基台部の上側に支持される上記パイプ状本体部は金属製で下側の所定箇所にネジ穴を有し、上記基台部の底面側からネジ部材を螺着させることによって基台部に締結固定されており、該基台部はその底面の上下に配設した金属製座金部材およびネジ部材を介してシンクに締結固定されていることにより、合成樹脂製の基台部と金属製のパイプ状本体部とを備えたユニット体を、容易かつ確実にシンク上面に取り付けることができる。
【００９６】
また更に、以上の流体供給装置において、好ましくは、上記各流体供給機構の吐出口部ならびに上記ユニット体のパイプ状本体部または基台部の内部に配設される配管および電気配線以外の各流体供給機構の他の基本構成要素が単一の収納ケースに収納されることにより、これらの各流体供給機構の基本構成要素を装置の組立とは別途に組み立てて単一の収納ケースに収納することができ、各流体供給機構の組立工程の作業性が向上する。また、このように組み立てた各流体供給機構の基本構成要素は、単一の収納ケースごと簡単に移動できるので、装置の組立作業性が向上し、更に、メインテナンス時の点検・補修作業も行い易くなりサービス性も向上する。また更に、シンクのデザイン等が異なる場合でも、単一の収納ケースに収納された上記各流体供給機構の基本構成要素を共通して使用することも可能となり、多種類の流体供給装置を生産する場合の効率を高めることができる。
【００９７】
また更に、以上の流体供給装置において、好ましくは、上記シンクが直方体状に構成されていることにより、一般家庭の玄関先などでも違和感なく装置を設置することができる。また、シンクの材料としてデザイン性に優れた石材などを用いる場合でも、その外形の加工が容易になる。
【００９８】
また更に、以上の流体供給装置において、好ましくは、上記ユニット体が、シンクの凹部周縁形状の少なくとも一部に略沿って複数に分割されていることにより、ユニット体および各流体供給機構の吐出口部のレイアウトの自由度を高めることができる。
【図面の簡単な説明】
【図１】  本発明の実施の形態に係る感染症予防システムの一例を示す概略構成図である。
【図２】  上記の感染症予防システムに使用される薬液供給装置の一例を概略的に示す斜視図である。
【図３】  上記薬液供給装置の上部の拡大斜視図である。
【図４】  上記薬液供給装置の正面説明図である。
【図５】  上記薬液供給装置の側面説明図である。
【図６】  図４のＹ６−Ｙ６線に沿った断面説明図である。
【図７】  上記薬液供給装置の収納部の概略構成を示す正面説明図である。
【図８】  上記収納部の概略構成を示す側面説明図である。
【図９】  上記薬液供給装置のノズルユニットのケーシングにおけるパイプ本体の基台部への固定構造を示すユニットケーシングの縦断面説明図である。
【図１０】  上記基台部のシンクへの固定構造を示す部分縦断面説明図である。
【図１１】  図９の要部を拡大して示す断面説明図である。
【図１２】  図１０の要部を拡大して示す断面説明図である。
【図１３】  上記ユニットケーシングのパイプ本体の平面説明図である。
【図１４】  上記パイプ本体の側面説明図で、図１３における矢印Ｙ１４−Ｙ１４方向からの矢視図である。
【図１５】  上記ユニットケーシングに装着されるシールモールの平面説明図である。
【図１６】  上記シールモールの正面説明図で、図１５における矢印Ｙ１６−Ｙ１６方向からの矢視図である。
【図１７】  上記シールモールの先端シール部を拡大して示す拡大断面説明図である。
【図１８】  上記ユニットケーシングの基台部の平面説明図である。
【図１９】  上記基台部の正面説明図で、図１８における矢印Ｙ１９−Ｙ１９方向からの矢視図である。
【図２０】  上記基台部の底面部の下側に配設されるベースパッキンの平面説明図である。
【図２１】  上記ベースパッキンの上側に配設されるベースプレートの平面説明図である。
【図２２】  上記基台部の底面部上に配設されるワッシャの平面説明図である。
【符号の説明】
１０…支持台
１１…収納部
１３ａ…表示基板
１３ｂ…制御基板
１５…収納ケース
２１…シンク
２１ａ…（シンクの）凹部
３０…ノズルユニット
３１…ユニットケーシング
３１ｇ…石鹸液液切れランプ
３１ｈ…消毒液液切れランプ
３１ｋ…うがい液液切れランプ
３２…給水ノズル
３３…給水センサ
３４…うがい液ノズル
３５…うがい液吐出スイッチ
３６…石鹸液ノズル
３７…石鹸液吐出センサ
３８…消毒液ノズル
３９…消毒液吐出センサ
４１…うがい薬ボトル
４２…石鹸液ボトル
４３…消毒液ボトル
５１…消毒液ポンプ
５２…消毒液液切れセンサ
５３…うがい薬電磁弁
５４…うがい薬液切れセンサ
５５…給水配管
５６…給水電磁弁
５７…うがい液用給水電磁弁
５８…石鹸液ポンプ
５９…石鹸液液切れセンサ
６１…出入り口
６２…人体検出センサ
６３…音声合成装置
７１…基台部
７１ａ…（基台部の）ネジ挿通穴
７１ｆ…（基台部の）底面部
７２…パイプ状本体部
７２ａ…（パイプ状本体部の）ネジ穴
７４…ベースプレート
７６…ワッシャ
７７…ネジ部材
７８…ボルト部材
７９…ナット
Ａ…薬液供給装置
【図１】
0004564179.tif 000002
【図２】
0004564179.tif 000003
【図３】
0004564179.tif 000004
【図４】
0004564179.tif 000005
【図５】
0004564179.tif 000006
【図６】
0004564179.tif 000007
【図７】
0004564179.tif 000008
【図８】
0004564179.tif 000009
【図９】
0004564179.tif 000010
【図１０】
0004564179.tif 000011
【図１１】
0004564179.tif 000012
【図１２】
0004564179.tif 000013
【図１３】
0004564179.tif 000014
【図１４】
0004564179.tif 000015
【図１５】
0004564179.tif 000016
【図１６】
0004564179.tif 000017
【図１７】
0004564179.tif 000018
【図１８】
0004564179.tif 000019
【図１９】
0004564179.tif 000020
【図２０】
0004564179.tif 000021
【図２１】
0004564179.tif 000022
【図２２】
0004564179.tif 000023